(57)【要約】      （修正有）【課題】縦置き投射時の光源の劣化を低減することが可能であるとともに、より小型な投射型表示装置を提供する。【解決手段】プロジェクタが、発光管を備える光源ユニット１と、ランプ冷却ファンと、光源冷却ダクトＡ１７と、光源冷却ダクトＣ１９を備える。さらに、光源冷却ダクトＡ１７の開口と対向することが可能な開口を有する光源冷却ダクトＢ１８と、光源冷却ダクトＣ１９の開口と対向することが可能な開口を有する光源冷却ダクトＤ２０を備える。そして、光源ユニット１は、プロジェクタに対して着脱可能な構成であり、光源冷却ダクトＢ１８と、光源冷却ダクトＤ２０は光源ユニット１に対して着脱可能な構成である。さらに、プロジェクタは、光源ユニット１が取り外されるのに伴って、各ダクトの開口が対向している状態が解除されるように構成されている。【選択図】図３
2017053952.tif 000002
【特許請求の範囲】
【請求項１】
発光管を備える光源ユニットと、
送風手段と、
前記送風手段からの流体を前記光源ユニットの方向へ導く第１のダクトと、
前記送風手段からの流体を前記光源ユニットの方向へ導く第２のダクトと、
前記第１のダクトの前記光源ユニット側の開口と対向することが可能な開口を有し、前記第１のダクトからの流体を前記発光管に導く第３のダクトと、
前記第２のダクトの前記光源ユニット側の開口と対向することが可能な開口を有し、前記第２のダクトからの流体を前記発光管に導く第４のダクトと、を備える投射型表示装置であって、
前記光源ユニットは、前記投射型表示装置に対して着脱可能な構成であり、
前記第３のダクトおよび前記第４のダクトは、前記光源ユニットに対して着脱可能な構成であり、
前記光源ユニットが前記投射型表示装置から取り外されるのに伴って、前記第１のダクトの前記光源ユニット側の開口と前記第３のダクトの前記第１のダクト側の開口が対向している状態と、前記第２のダクトの前記光源ユニット側の開口と前記第４のダクトの前記第２のダクト側の開口が対向している状態が解除されるように構成されている、
ことを特徴とする投射型表示装置。
【請求項２】
前記光源ユニットは、前記第３のダクトおよび前記第４のダクトに代わり、前記光源ユニットに対して着脱可能であるとともに、前記第１のダクトからの流体を、前記第３のダクトが前記第１のダクトからの流体を前記発光管に導く方向とは異なる方向で前記発光管に導くことが可能な第５のダクトと、前記光源ユニットに対して着脱可能であるとともに、前記第２のダクトからの流体を、前記第４のダクトが前記第２のダクトからの流体を前記発光管に導く方向とは異なる方向で前記発光管に導くことが可能な第６のダクトと、を前記光源ユニットに取り付け可能なように構成されている、
ことを特徴とする請求項１に記載の投射型表示装置。
【請求項３】
前記光源ユニットは、前記発光管からの光を反射するリフレクタを備え、
前記リフレクタの光軸方向視において、前記第３のダクトの前記光源ユニット側の開口と、前記第４のダクトの前記光源ユニット側の開口とが対向するように構成されている、
ことを特徴とする請求項１または２に記載の投射型表示装置。
【請求項４】
前記光軸方向視において、前記第３のダクトの前記光源ユニット側の端面と前記投射型表示装置の底面との成す角度をθ１とし、前記第４のダクトの前記光源ユニット側の端面と前記投射型表示装置の底面との成す角度をθ２とするとき、
３５≦θ１≦５５°
３５≦θ２≦５５°
を満足することを特徴とする請求項３に記載の投射型表示装置。
【請求項５】
前記光源ユニットの姿勢を検出する姿勢検出手段と、
前記姿勢検出手段からの情報に基づいて、前記送風手段を制御する風量制御手段と、を備える、
ことを特徴とする請求項１乃至４のいずれか一項に記載の投射型表示装置。
【請求項６】
前記送風手段は、前記第１のダクトに流体を導く第１のファンと、前記第２のダクトに流体を導く第２のファンとを備え、
前記風量制御手段は、前記第１のファンと前記第２のファンのうちより高い位置にある一方の回転数が他方の回転数よりも大きくなるように前記第１のファンおよび前記第２のファンを制御する、
ことを特徴とする請求項５に記載の投射型表示装置。
【請求項７】
前記第１のファンおよび前記第２のファンはシロッコファンである、
ことを特徴とする請求項６に記載の投射型表示装置。
【請求項８】
光源ユニットと、
前記光源ユニットの姿勢を検出する姿勢検出手段と、
送風手段と、
前記送風手段からの流体を前記光源ユニットの方向へ導く第１のダクト構造と、
前記送風手段からの流体を前記光源ユニットの方向へ導く第２のダクト構造と、
前記第１のダクト構造が前記送風手段からの流体を前記光源ユニットに導く方向と、前記第２のダクト構造が前記送風手段からの流体を前記光源ユニットに導く方向とを変更可能な導風手段と、
前記姿勢検出手段からの情報に基づいて、前記導風手段を制御する風向制御手段と、を備える、
ことを特徴とする投射型表示装置。
【請求項９】
前記光源ユニットは、発光管と、前記発光管からの光を反射するリフレクタとを備え、
前記光源ユニットが所定の姿勢であるときに、前記第１のダクト構造からの流体が前記光源ユニットに導かれる方向を第１の方向と、前記第２のダクト構造からの流体が前記光源ユニットに導かれる方向を第２の方向とし、
前記姿勢検出手段が、前記光源ユニットが前記所定の姿勢よりも前記リフレクタの光軸と前記投射型表示装置の設置面との成す角度が大きくなるような姿勢であると判断したととき、
前記風向制御手段は、前記第１の方向であるときよりも、前記設置面から離れた位置に前記第１のダクト構造からの流体が導かれるとともに、前記第２の方向であるときよりも前記設置面から離れた位置に前記第２のダクト構造からの流体が導かれるように、前記導風手段を制御する、
ことを特徴とする請求項８に記載の投射型表示装置。
【発明の詳細な説明】
【技術分野】
【０００１】
本発明は、投射型表示装置に関する。
【背景技術】
【０００２】
近年、プロジェクタは机などに置く据え置きや、専用の固定具を使って天井から吊るす天吊り以外にも様々な姿勢で使用されている。例えば、イベント会場では天井や床に投影する上向き投射、下向き投射といった投影方法が求められている。また、広告の分野では縦置き投射（ポートレート投射）により、人やタワーなどをより大きく表示するために投射画面を縦長にする投影方法なども求められている。
【０００３】
一方、プロジェクタの光源として主に用いられる高圧水銀ランプは発光管が光とともに熱を発するため、発光管を冷却する必要があるが、発光管の表面のうち高温となる箇所は重力方向と関係しており、プロジェクタの姿勢毎に変化する。具体的には、発光管内には高温の蒸気が滞留しており、発光管が水平でなくなるとより高い位置に高温の蒸気が集まって高温となる。その結果、２つの電極のうち高温になった箇所に近い片方が他方よりも早く劣化してしまうため、好ましくない。
【０００４】
このような問題を解決する技術として、特許文献１および特許文献２に記載の技術が知られている。特許文献１には、重力方向に従って受け部に入る遮風球を用いることで、据え置き、天吊り、上下向き投射時に発光管の表面のうち高い位置になる箇所に冷却風を導く構成を開示している。また、特許文献２には、縦置き投射時にランプおよびランプ用の冷却システムを回転させて縦置き投射時にも発光管を水平に保つ構成を開示している。
【先行技術文献】
【特許文献】
【０００５】
【特許文献１】特開２０１１−２５３１５６号公報
【特許文献２】特開２０１１−２０３５９０号公報
【発明の概要】
【発明が解決しようとする課題】
【０００６】
仮に、特許文献１に示す構成で縦置き投射を行おうとすると、遮風球が発光管への冷却風を遮ってしまい、発光管を充分に冷却できないおそれがある。また、特許文献２に示す構成のようにランプおよび冷却システムを回転させる構成では、その回転動作を許容するためのスペースが必要となり、プロジェクタ全体が大型化してしまうおそれがある。
【０００７】
そこで、本発明は、縦置き投射時の光源の劣化を低減することが可能であるとともに、より小型な投射型表示装置を提供することを目的とする。
【課題を解決するための手段】
【０００８】
上記の目的を達成するために、本発明の投射型表示装置は、
発光管を備える光源ユニットと、
送風手段と、
前記送風手段からの流体を前記光源ユニットの方向へ導く第１のダクトと、
前記送風手段からの流体を前記光源ユニットの方向へ導く第２のダクトと、
前記第１のダクトの前記光源ユニット側の開口と対向することが可能な開口を有し、前記第１のダクトからの流体を前記発光管に導く第３のダクトと、
前記第２のダクトの前記光源ユニット側の開口と対向することが可能な開口を有し、前記第２のダクトからの流体を前記発光管に導く第４のダクトと、を備える投射型表示装置であって、
前記光源ユニットは、前記投射型表示装置に対して着脱可能な構成であり、
前記第３のダクトおよび前記第４のダクトは、前記光源ユニットに対して着脱可能な構成であり、
前記光源ユニットが前記投射型表示装置から取り外されるのに伴って、前記第１のダクトの前記光源ユニット側の開口と前記第３のダクトの前記第１のダクト側の開口が対向している状態と、前記第２のダクトの前記光源ユニット側の開口と前記第４のダクトの前記第２のダクト側の開口が対向している状態が解除されるように構成されている、
ことを特徴とする。
【発明の効果】
【０００９】
本発明によれば、縦置き投射時の光源の劣化を低減することが可能であるとともに、より小型な投射型表示装置を提供することができる。
【図面の簡単な説明】
【００１０】
【図１】投射型表示装置の略図
【図２】ランプ冷却構成図の斜視図
【図３】据置時のランプ冷却構成の断面図（リフレクタ光軸方向視）
【図４】上向き時のランプ冷却構成の断面図（リフレクタ光軸方向視）
【図５】天吊時のランプ冷却構成の断面図（リフレクタ光軸方向視）
【図６】下向き時のランプ冷却構成の断面図（リフレクタ光軸方向視）
【図７】据置時のランプ冷却構成の断面図（リフレクタ光軸直交方向視）
【図８】縦置き時のランプ冷却構成の断面図（リフレクタ光軸直交方向視）
【図９】ランプ冷却構成の好ましい条件の説明図
【図１０】他の実施形態におけるランプ冷却構成の断面図（リフレクタ光軸直交方向視）
【発明を実施するための形態】
【００１１】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１２】
（投射型表示装置の構成）
まず、図１を用いて本発明の実施形態におけるプロジェクタ（投射型表示装置）の構成について説明する。
【００１３】
図１において、αは後述の光源ユニット１からの光を受光する照明光学系であり、第１フライアイレンズ、第２フライアイレンズ、偏光変換素子、コンデンサーレンズを備えている。βは照明光学系αからの光を不図示のＲＧＢの各色用の液晶パネルに導く色分離合成光学系であり、ダイクロイックミラー、Ｇ用偏光ビームスプリッター、ＲＢ用偏光ビームスプリッター、色合成プリズムを備えている。
【００１４】
２５は照明光学系αからの光を反射して色分離合成光学系βに導くミラーであり、ミラー２５によって色分離合成光学系βの光軸は照明光学系αの光軸に対して直角となり、プロジェクタ全体が横長になってしまうことを抑制できる。
【００１５】
１は光源ユニットであり、発光管２６と発光管２６からの光を反射する放物面リフレクタ（リフレクタ）２７を備えている。なお、放物面リフレクタ２７の代わりに楕円リフレクタと負レンズとを用いても良い。２は色分離合成光学系βからの出射光をスクリーン（被投射面）ＳＣに導く投射レンズユニットである。
【００１６】
３は外気を吸入する際に筐体内に塵埃が入ることを抑制する不図示のエアフィルタを含んだ吸気口であり、４は吸気口３から吸入した外気を用いて光源ユニット１を冷却するためのランプ冷却ファン（送風手段）である。
【００１７】
５は吸気口３から吸入した外気を用いて照明光学系αを冷却する照明光学系冷却ファンである。そして、６は吸気口３から吸入した外気を用いて色分離合成光学系βを冷却する色分離合成光学系冷却ファンである。
【００１８】
７は筺体内の高温となった空気を筺体外に排気する排気ファンであり、８は光源ユニット１に電力を供給する電源部であり、９は光源ユニット１に供給される電力量を制御する光源電力変更手段である。光源電力変更手段９によってプロジェクタはノーマルモードとエコモードを取ることができる。
【００１９】
１０はプロジェクタの周辺の温度を検知する温度検出センサであり、具体的には、温度センサ１０は温度に比例した電圧を出力するＩＣであり、後述する外装キャビネット１３の周辺温度を適切に検出する位置に設けている。本発明の実施形態においては、吸気口３の近傍に温度センサ１０を設けている。
【００２０】
１１はプロジェクタの姿勢を検知する姿勢検出センサ（姿勢検出手段）であり、姿勢検出センサ１０とは回転運動を検知し、電気信号へと変換して出力するＩＣである。姿勢検出センサ１１は、プロジェクタが据え置き、天吊り、上下投射、縦置きのうち、どの姿勢になっているかを検出値と所定の閾値とを比較して判断する。
【００２１】
１２は制御装置であり、ＣＰＵやＲＯＭ等で構成され、制御装置１２内に格納されたプログラムに従って、ユーザーにより入力されたプロジェクタの投射モード（ノーマルモードあるいはエコモード）を検出して光源電力変更手段９の制御を行う。なお、制御装置１２は予め各姿勢および各投射モードを識別するために少なくとも２つ以上の閾値を有する。１３は前述した１〜１２を収納する為の外装キャビネットである。３１は前述の姿勢検出センサ１１からの情報に基づいて、ランプ冷却ファン４を制御する風量制御手段である。
【００２２】
（ランプ冷却構成）
ランプ冷却構成について図２を用いて説明する。
【００２３】
図２において、１４は前述の光源ユニット１を保持する光源保持部であり、１５は高温となるランプ１の熱が筺体内で悪影響を与えないための光源保持カバーである。なお、発光管２６、リフレクタ２７、光源保持部１４、光源保持カバー１５をまとめて光源ユニット１と称する。１６はランプ破裂時に筺体内部にガラス片が飛散しないための防爆ガラスである。
【００２４】
１７は不図示の光学素子を保持する光学エンジンに固定された光源冷却ダクトＡ（第１のダクト）であり、１８は光源保持部１４に固定された光源冷却ダクトＢ（第３のダクト）である。なお、光源冷却ダクトＡ１７と光源冷却ダクトＢ１８とを合わせて第１のダクト構造と称する。また、詳細は後述の通りであるが、光源冷却ダクトＢ１８は図８に示す縦置き用光源冷却ダクトＢ２３と交換可能である。また、光源冷却ダクトＡ１７と光源冷却ダクトＢ１８は締結されておらず、分割が可能である。
【００２５】
１９は不図示の光学素子を保持する光学エンジンに固定された光源冷却ダクトＣ（第２のダクト）であり、２０は光源保持部１４に固定された光源冷却ダクトＤ（第４のダクト）である。なお、光源冷却ダクトＣ１９と光源冷却ダクトＤ２０とを合わせて第２のダクト構造と称する。また、詳細は後述の通りであるが、光源冷却ダクトＤ２０は図８に示す縦置き用光源冷却ダクトＤ２４と交換可能である。また、光源冷却ダクトＣ１９と光源冷却ダクトＤ２０は締結されておらず、分割が可能である。
【００２６】
２１は光源冷却ダクトＡ１７に流体を導くシロッコファン（第１のファン）であり、据置時、上向き時、縦置き時に主に使用する。２２は光源冷却ダクトＣ１９に流体を導くシロッコファン（第２のファン）であり、天吊時、下向き時、縦置き時に主に使用する。前述の送風手段としてのランプ冷却ファン４はシロッコファン２１およびシロッコファン２２とを備えている。
【００２７】
次に、据え置き投射、天吊り投射、上下向き投射、縦置き投射といった各姿勢における光源ユニット１の冷却方法について説明する。
【００２８】
（据え置き投射）
図３は据え置き投射時の光源ユニット１の冷却の様子を示す図であり、机などにプロジェクタを設置して紙面左方向に投射する場合を想定している。
【００２９】
図３において、ｇは重力方向であり、ｄは投射方向（投射レンズの光軸方向）であり、Ｓ１はプロジェクタの底面であり、Ｓ２はプロジェクタの天板であり、ｈｓ１は発光管２６表面で高温となる高温部の位置である。
【００３０】
前述のように、発光管２６内には高温の蒸気が滞留しており、この蒸気が上方向（重力方向と逆の方向）に向かうため、据え置き投射時には高温部の位置は発光管２６の表面のうち高い位置にあるｈｓ１となり、位置ｈｓ１を充分に冷却する必要がある。本発明の実施形態において、据え置き投射時にはシロッコファン２１が主に光源ユニット１の冷却に寄与し、図３中の矢印で示すように、主に光源冷却ダクトＢ１８からの流体によって発光管２６の高温部を冷却することが可能となる。
【００３１】
（上向き投射）
図４は上向き投射時の光源ユニット１の冷却の様子を示す図であり、机などにプロジェクタを設置して紙面上方向にある天井に投射する場合を想定している。前述の据え置き投射時と比較して、発光管２６内の高温の蒸気によって発光管２６の表面のうち高い位置に高温部が位置する点は共通だが、上向き投射時には高温部は位置ｈｓ１ではなく位置ｈｓ２に位置する点は異なる。本発明の実施形態において、上向き投射時にはシロッコファン２１が主に光源ユニット１の冷却に寄与し、図４中の矢印で示すように、主に光源冷却ダクトＢ１８からの流体によって発光管２６の高温部を冷却することが可能となる。
【００３２】
（天吊り投射）
図５は天吊り投射時の光源ユニット１の冷却の様子を示す図であり、専用の固定具によってプロジェクタを天井から吊るして紙面右方向に投射する場合を想定している。図５に示すように、前述の据え置き投射時と比較して、高温部が光源冷却ダクトＤ２０側のｈｓ３に位置する。このため、本発明の実施形態において、天吊り投射時にはシロッコファン２２が主に光源ユニット１の冷却に寄与し、図５中の矢印で示すように、主に光源冷却ダクトＤ２０からの流体によって発光管２６の高温部を冷却することが可能となる。
【００３３】
（下向き投射）
図６は下向き投射時の光源ユニット１の冷却の様子を示す図であり、専用の固定具によってプロジェクタを天井から吊るして地面に投射する場合を想定している。前述の上向き投射時と比較して、高温部が光源冷却ダクトＤ２０側のｈｓ４に位置する。このため、本発明の実施形態において、天吊り投射時にはシロッコファン２２が主に光源ユニット１の冷却に寄与し、図６中の矢印で示すように、主に光源冷却ダクトＤ２０からの流体によって発光管２６の高温部を冷却することが可能となる。
【００３４】
以上のように、本発明の実施形態によれば、据え置き投射、天吊り投射、上下向き投射時に、各姿勢によって異なる高温部の位置にシロッコファン２１およびシロッコファン２２からの流体を導くことが可能となる。
【００３５】
（縦置き投射）
次に、図７および図８を用いて縦置き投射時の光源ユニット１の冷却について述べる。
【００３６】
図７は図３と同様に据え置き投射時の冷却の様子を示す図であるが、前述の図３がリフレクタ２７の光軸方向視の図であったのに対して、図７はリフレクタ２７の光軸と直交する方向視の図である。前述のように、据え置き投射時には発光管２６が備える管球部３２表面の高温部はｈｓ１に位置する。このため、シロッコファン２１からの流体が位置ｈｓ１に導かれるように、光源冷却ダクトＢ１８は方向ｄ１にシロッコファン２１からの流体を導くように構成されている。同様に、光源冷却ダクトＤ２０は方向ｄ２にシロッコファン２２からの流体を導くように構成されている。
【００３７】
一方、図８に示す縦置き投射時には、管球部３２表面の高温部は位置ｈｓ１とは異なるｈｓ５に位置しているため、光源冷却ダクトＢ１８および光源冷却ダクトＤ２０では縦置き投射時の高温部を充分に冷却することができないおそれがある。そこで、本発明の実施形態においては、縦置き投射時には、光源冷却ダクトＢ１８を光源冷却ダクトＢ２３（第５のダクト）に交換し、光源冷却ダクトＤ２０を光源冷却ダクトＤ２４（第６のダクト）に交換する。
【００３８】
光源冷却ダクトＢ２３はシロッコファン２１からの流体を方向ｄ３に導くことが可能なように構成されており、方向ｄ３は前述の方向ｄ１よりも防爆ガラス１６側へ傾いている。そして、光源冷却ダクトＤ２４はシロッコファン２２からの流体を方向ｄ４に導くことが可能なように構成されており、方向ｄ４は前述の方向ｄ２よりも防爆ガラス１６側へ傾いている。このような構成の光源冷却ダクトＢ２３および光源冷却ダクトＤ２４を用いることで、縦置き投射時の高温部を充分に冷却することが可能となる。
【００３９】
つまり、プロジェクタは、送風手段としてのランプ冷却ファン４からの流体を光源ユニット１の方向へ導く第１のダクトとしての光源冷却ダクトＡ１７と、第２のダクトとしての光源冷却ダクトＣ１９とを備える。さらに、プロジェクタは、光源冷却ダクトＡ１７の光源ユニット１側の開口と対向することが可能な開口を有し、光源冷却ダクトＡ１７からの流体を発光管２６に導く第３のダクトとしての光源冷却ダクトＢ１８を備える。さらに、プロジェクタは、光源冷却ダクトＣ１９の光源ユニット１側の開口と対向することが可能な開口を有し、光源冷却ダクトＣ１９からの流体を発光管２６に導く第４のダクトとしての光源冷却ダクトＤ２０を備える。
【００４０】
そして、光源ユニット１は、プロジェクタに対して着脱可能な構成であり、光源冷却ダクトＢ１８および光源冷却ダクトＤ２０は、光源ユニット１に対して着脱可能な構成である。さらに、プロジェクタは、光源ユニット１がプロジェクタから取り外されるのに伴って、光源冷却ダクトＡ１７の光源ユニット１側の開口と光源冷却ダクトＢ１８の光源冷却ダクトＡ１７側の開口とが対向している状態が解除されるように構成されている。さらに、プロジェクタは、光源ユニット１がプロジェクタから取り外されるのに伴って、光源冷却ダクトＣ１９の光源ユニット１側の開口と光源冷却ダクトＤ２０の光源冷却ダクトＣ１９側の開口とが対向している状態が解除されるように構成されている。
【００４１】
ここでいう、光源ユニット側の開口とダクト側の開口とが対向しているとは、光源冷却ダクトＡ１７の光源ユニット１側の開口（第１の開口）と、光源冷却ダクトＢ１８の光源冷却ダクトＡ１７側の開口（第２の開口）とが接している、と言い換えても良い。さらには、流体の方向視において第１の開口と第２の開口の全体あるいは一部が重なっている、と言い換えても良い。第１の開口と第２の開口が対向している状態が解除されるとは、上記のような第１の開口と第２の開口の位置関係が変化することであり、流体の方向視において第１の開口と第２の開口とが重ならなくなることと言い換えても良い。
【００４２】
以上のような構成により、光源ユニット１を筺体外に取り外し、光源ユニット１に締結された光源冷却ダクトＢ１８を縦置き用光学冷却ダクトＢ２３と交換し、光源冷却ダクトＤ２０を縦置き用光学冷却ダクト２４と交換することが可能となる。さらに、ダクト構造の先端部の短い部分である光源冷却ダクトＢ１８および光源冷却ダクトＤ２０を光源ユニット１に取り付けて光源ユニット１と一緒にプロジェクタから取り外せるようにしているため、ダクトの交換を容易に行うことができるようになる。
【００４３】
これにより、据え置きおよび天吊り投射、上下向き投射、縦置き投射といった各姿勢で位置が変わるランプの高温部に冷却風を当てることができるため、光源の劣化を低減することが可能となる。また、前述の特許文献２に記載のような回転機構を設ける必要がないため、より小型なプロジェクタを実現することが可能となる。
【００４４】
（より好ましい構成）
以下、より好ましい構成について説明する。図９は、図３〜図６に示した据え置き投射、天吊り投射、上下向き投射時の高温部の位置ｈｓ１〜ｈｓ４をまとめて示した図である。図９に示すように、リフレクタ２７の光軸方向視において、据え置き投射、天吊り投射、上下向き投射時の高温部は、管球部３２表面の同心円上に位置する。このため、光源冷却ダクトＢ１８と光源冷却ダクトＤ２０とを、リフレクタ２７の光軸方向から見て、光軸を中心に対称となる位置になるように位相をずらして配置している。これにより、同じダクト構造であっても据え置き投射、天吊り投射、上下向き投射の各姿勢で異なる高温部の位置ｈｓ１〜ｈｓ４を充分に冷却することが可能となる。
【００４５】
言い換えれば、光源ユニット１は、発光管２６からの光を反射するリフレクタ２７を備える。そして、プロジェクタは、リフレクタ２７の光軸方向視において、光源冷却ダクトＢ１８の光源ユニット１側の開口と、光源冷却ダクトＤ２０の光源ユニット１側の開口とが対向するように構成されている。
【００４６】
また、リフレクタ２７の光軸方向視において、光源冷却ダクトＢ１８の光源ユニット１側の端面とプロジェクタの底面Ｓ１との成す角度をθ１とし、光源冷却ダクトＤ２０の光源ユニット１側の端面とプロジェクタの底面Ｓ１との成す角度をθ２とするとき、
３５≦θ１≦５５°
３５≦θ２≦５５°
を満足すると好ましい。
【００４７】
さらに、
４０≦θ１≦５０°
４０≦θ２≦５０°
を満足するとより好ましい。言い換えると、リフレクタ２７の光軸方向視において、プロジェクタの底面あるいは設置面に対して略４５°傾いた対向する２つの方向から流体を発光管２６へ導くことが好ましい。これにより、前述のように、同じダクト構造であっても各姿勢で異なる高温部の位置ｈｓ１〜ｈｓ４を充分に冷却することが可能となる。
【００４８】
また、プロジェクタは、前述の光源ユニット１の姿勢を検出する姿勢検出センサ１１に加えて、姿勢検出センサ１１からの情報に基づいて、ランプ冷却ファン４を制御する風量制御手段３１も備えていることが好ましい。
【００４９】
さらには、ランプ冷却ファン４は、光源冷却ダクトＡ１７に流体を導くシロッコファン２１（第１のファン）と、光源冷却ダクトＣ１９に流体を導くシロッコファン２２（第２のファン）を備えていることが好ましい。さらに、風量制御手段３１は、シロッコファン２１とシロッコファン２２のうちより高い位置にある一方の単位時間当たりの回転数が他方の単位時間当たりの回転数よりも大きくなるように、両ファンを制御することが好ましい。ここでいう高い位置とは、重力方向の反対方向により離れている位置をいう。また、風量制御手段３１は、前述の温度検出センサ１０によってプロジェクタ内が所定の温度以上であると判断された場合に両ファンの回転数を上げても良い。
【００５０】
このような構成とすることで、シロッコファン２１およびシロッコファン２２の双方を同じ回転数で可動させる場合と比較して、各姿勢で異なる高温部を冷却可能であるとともに、騒音や消費電力を低減することが可能となる。また、ランプ冷却ファン４としてシロッコファンを用いることで、流体の指向性を高め、所望の位置により多くの流体を吹き付けることが可能となるため、好ましい。
【００５１】
あるいは、姿勢検出センサ１１が、プロジェクタが据え置き投射あるいは上向き投射の姿勢になっていると判断した場合にはシロッコファン２１のみを稼働させてもよい。そして、プロジェクタが天吊り投射あるいは下向き投射の姿勢になっていると判断した場合にはシロッコファン２２のみを稼働させてもよい。もちろん、本発明の実施形態のように、投射姿勢に関わらずシロッコファン２１およびシロッコファン２２の双方を稼働させてもよい。
【００５２】
（他の実施形態）
前述した実施形態では、縦置き投射を行う際にはダクトを専用のものに交換する構成を開示したが、本発明はこれに限定されるものではない。例えば、図１０に示すように、導風手段２８と、導風手段２８を制御する風向制御手段２９を備えた構成であってもよい。
【００５３】
図１０において、導風手段２８は、第１のダクト構造がランプ冷却ファン４からの流体を光源ユニット１に導く方向と、第２のダクト構造がランプ冷却ファン４からの流体を光源ユニット１に導く方向とを変更可能であり、回動可能な複数のフィンである。そして、風向制御手段２９は、姿勢検出センサ１１からの情報に基づいて導風手段２８を制御する。なお、ここでいう第１のダクト構造とは前述の光源冷却ダクトＡ１７および光源冷却ダクトＢ１８のことであり、第２のダクト構造とは前述の光源冷却ダクトＣ１９および光源冷却ダクトＤ２０のことである。
【００５４】
図１０に示す構成が、以下に示す構成であるとより好ましい。すなわち、光源ユニット１が所定の姿勢であるときに、第１のダクト構造からの流体が光源ユニット１に導かれる方向を第１の方向と、第２のダクト構造からの流体が光源ユニット１に導かれる方向を第２の方向とする。そして、姿勢検出センサ１１が、光源ユニット１が所定の姿勢よりもリフレクタ２７の光軸とプロジェクタの設置面との成す角度が大きくなるような姿勢であると判断したとする。ここでいう所定の姿勢とは据え置き投射時の光源ユニット１の姿勢であり、この所定の姿勢よりもリフレクタ２７の光軸とプロジェクタの設置面との成す角度が大きくなるような姿勢とは、縦置き投射時の光源ユニット１の姿勢である。
【００５５】
このとき、風向制御手段２９は、第１の方向であるときよりも、設置面から離れた位置に第１のダクト構造からの流体が導かれるように導風手段２８を制御する。さらに、第２の方向であるときよりも設置面から離れた位置に第２のダクト構造からの流体が導かれるように、導風手段２８を制御する。
【００５６】
プロジェクタが、このような構成を取ることによってダクト部材を交換することなく、第１のダクト構造および第２のダクト構造からの風向をプロジェクタの姿勢によって調整することが可能となる。その結果、縦置き投射時の光源の劣化を低減するとともに、より小型なプロジェクタを実現することが可能となる。
【符号の説明】
【００５７】
１  ランプ（光源ユニット）
４  ランプ冷却ファン（送風手段）
１７  光源冷却ダクトＡ（第１のダクト）
１８  光源冷却ダクトＢ（第３のダクト）
１９  光源冷却ダクトＣ（第２のダクト）
２０  光源冷却ダクトＤ（第４のダクト）
２６  発光管
【図１】
2017053952.tif 000003
【図２】
2017053952.tif 000004
【図３】
2017053952.tif 000005
【図４】
2017053952.tif 000006
【図５】
2017053952.tif 000007
【図６】
2017053952.tif 000008
【図７】
2017053952.tif 000009
【図８】
2017053952.tif 000010
【図９】
2017053952.tif 000011
【図１０】
2017053952.tif 000012